(57)【特許請求の範囲】
【請求項１】
空気清浄機本体の上部に脱着可能な加湿モジュールであって、
前記空気清浄機側に開放される第１開口及び前記第１開口の側面に開放される第２開口が形成されるベースカバーと、
前記ベースカバーの内部に位置し、一側に供給される水が貯留されるように所定高さを有する内側隔壁と外側隔壁間に形成される空間が前記第１開口の周囲を囲むように配置されるシスターン部と、
前記第２開口に位置する加湿フィルタと、
前記ベースカバーの内部に位置し、前記第１開口と前記第２開口を連通させて前記第１開口の上部を覆うように配置されるプロテクターとを含み、
前記プロテクターは、
前記第１開口の上部を覆うように配置される上部防止壁と、
前記内側隔壁と連続するように前記上部防止壁の外周縁から延長形成されるガイド壁とを含む、漏水防止が可能な空気清浄機用無電源加湿モジュール。
【請求項２】
前記ベースカバーの一側に形成される排水口をさらに含み、
前記シスターン部の一側空間に供給された水が前記外側隔壁に形成される越流溝の所定高さを超えると、前記越流溝を経て前記外側隔壁を越え、前記排水口から排出される、請求項１に記載の漏水防止が可能な空気清浄機用無電源加湿モジュール。
【請求項３】
前記シスターン部の水が貯留される空間を一側と他側に区画するように所定高さを有する区画壁をさらに含み、
前記シスターン部の一側空間に供給された水が前記区画壁に形成される越流溝の所定高さを超えると、前記越流溝を経て前記区画壁を越え、前記シスターン部の他側空間に流入する、請求項１に記載の漏水防止が可能な空気清浄機用無電源加湿モジュール。
【請求項４】
前記ベースカバーの一側に形成される排水口をさらに含み、
前記シスターン部の他側に流入した水が前記外側隔壁に形成される越流溝の所定高さを超えると、前記越流溝を経て前記隔壁を越え、前記排水口から排出される、請求項３に記載の漏水防止が可能な空気清浄機用無電源加湿モジュール。
【請求項５】
前記シスターン部の前記空間に貯留される水の水位を検知するセンサをさらに含む、請求項１〜４のいずれか一項に記載の漏水防止が可能な空気清浄機用無電源加湿モジュール。
【発明の詳細な説明】
【技術分野】
【０００１】
本発明は、加湿モジュールに関し、特に空気清浄機に設置されて用いられる加湿モジュールであって、空気清浄機の内部への漏水防止が可能な空気清浄機用無電源加湿モジュールに関する。
【背景技術】
【０００２】
一般的な加湿機能を備える空気清浄機は、装置の内部に設けられる空気浄化フィルタと加湿ユニットを用いて空気浄化と加湿を行うことができる。
【０００３】
しかし、このような従来技術による加湿清浄機は、加湿機能が用いられない場合は装置の内部に設けられた加湿フィルタを分離しなければならないので、使用が煩雑であり、装置の内部に設けられる部品点数が増加し、装置のサイズが大きくなるという欠点がある。
【０００４】
また、従来技術による加湿清浄機は、加湿ユニットが装置の内部に配置されるので、加湿された空気が装置の内部を経て室内に供給されるため、加湿量が少ないという欠点がある。
【０００５】
前記問題を解決するためになされた、本出願人による特許文献１には、空気清浄機に一体型で構成されるのではなく、分離可能に構成され、各種空気清浄機に簡単な構造で装着されて用いられる空気清浄機用無電源加湿装置が開示されている。
【０００６】
このような加湿装置は、様々なタイプの空気清浄機に容易に装着でき、別途の電源を必要とせず、空気清浄機から吐出される空気を用いて室内加湿が行えるという利点を有する反面、着脱式で形成されるので、着脱時に内部の水が漏水して空気清浄機の内部に流入することがある。
【０００７】
このように加湿装置から漏水した水が空気清浄機の内部に流入すると、空気清浄機の内部に位置する電装部品の故障を招くだけでなく、場合によっては感電事故を引き起こすという問題があり、これを防止するために、着脱部分にゴムなどの水密部材を介在させることも考えられるが、ゴムなどの素材からなる水密部材は前記加湿モジュールの着脱容易性を低下させる恐れがある。
【先行技術文献】
【特許文献】
【０００８】
【特許文献１】韓国公開特許第２０１７−００４３３１４号公報
【発明の概要】
【発明が解決しようとする課題】
【０００９】
本発明は、前記問題を解決するためになされたものであり、空気清浄機の内部への漏水防止が可能な空気清浄機用無電源加湿モジュールを提供することを目的とする。
【課題を解決するための手段】
【００１０】
前記目的を達成するために、本発明は、空気清浄機本体の上部に脱着可能な加湿モジュールであって、前記空気清浄機側に開放される第１開口及び前記第１開口の側面に開放される第２開口が形成されるベースカバーと、前記ベースカバーの内部に位置し、一側に供給される水が貯留されるように所定高さを有する内側隔壁と外側隔壁間に形成される空間が前記第１開口の周囲を囲むように配置されるシスターン部と、前記第２開口に位置する加湿フィルタとを含む、漏水防止が可能な空気清浄機用無電源加湿モジュールを提供する。
【００１１】
前記ベースカバーの内部に位置し、前記第１開口と前記第２開口を連通させて前記第１開口の上部を覆うように配置されるプロテクターをさらに含むことが好ましい。
【００１２】
前記プロテクターは、前記第１開口の上部を覆うように配置される上部防止壁と、前記上部防止壁の外周縁から前記シスターン部の前記空間側に延びるガイド壁とを含むことが好ましい。
【００１３】
前記ベースカバーの一側に形成される排水口をさらに含み、前記シスターン部の一側空間に供給された水が前記外側隔壁に形成される越流溝の所定高さを超えると、前記越流溝を経て前記外側隔壁を越え、前記排水口から排出されることが好ましい。
【００１４】
前記シスターン部の水が貯留される空間を一側と他側に区画するように所定高さを有する区画壁をさらに含み、前記シスターン部の一側空間に供給された水が前記区画壁に形成される越流溝の所定高さを超えると、前記越流溝を経て前記区画壁を越え、前記シスターン部の他側空間に流入することが好ましい。
【００１５】
前記ベースカバーの一側に形成される排水口をさらに含み、前記シスターン部の他側に流入した水が前記外側隔壁に形成される越流溝の所定高さを超えると、前記越流溝を経て前記隔壁を越え、前記排水口から排出されることが好ましい。
【００１６】
前記シスターン部の前記空間に貯留される水の水位を検知するセンサをさらに含むことが好ましい。
【発明の効果】
【００１７】
前述したように、本発明による漏水防止が可能な空気清浄機用無電源加湿モジュールによれば、空気清浄機の内部への水溢れや水供給時の水流入を防止できることは言うまでもなく、加湿に必要な水の量を一定に調節することができ、また空気清浄機への脱着が容易になるという利点が得られる。
【図面の簡単な説明】
【００１８】
【図１】本発明の一実施形態による漏水防止が可能な空気清浄機用無電源加湿モジュールが空気清浄機に設置された状態を示す斜視図である。
【図２】本発明の一実施形態による漏水防止が可能な空気清浄機用無電源加湿モジュールの透視斜視図である。
【図３】本発明の一実施形態による漏水防止が可能な空気清浄機用無電源加湿モジュールの分解斜視図である。
【図４】本発明の一実施形態による漏水防止が可能な空気清浄機用無電源加湿モジュールのベースカバー及びシスターン部を上から見た平面図である。
【図５】図４のＩ−Ｉ線断面図である。
【発明を実施するための形態】
【００１９】
本発明の前述した目的、特徴及び他の利点は、添付図面を参照して本発明の好ましい実施形態について詳細に説明することによりさらに明らかになるであろう。その過程において、図面に示す線の太さや構成要素の大きさなどは、説明の明瞭性と便宜のために誇張して示すこともある。また、後述する用語は、本発明における機能を考慮して定義したものであり、それらはユーザ、運用者の意図や慣例により異なることもある。よって、それらの用語の定義は、本明細書の全般的な内容に基づいてなされるべきである。
【００２０】
また、後述する実施形態は、発明の説明のために例示的に示すものであり、本発明の技術的範囲を限定するものではない。
【００２１】
本発明による空気清浄機用漏水防止加湿モジュールを構成する各構成要素は、必要に応じて一体で用いてもよく、それぞれ分離して用いてもよい。また、使用形態に応じて一部の構成要素を省略して用いてもよい。
【００２２】
以下、図１〜図５を参照して、本発明の一実施形態による空気清浄機用漏水防止加湿モジュールについて詳細に説明する。
【００２３】
本発明による漏水防止が可能な空気清浄機用無電源加湿モジュール（以下、単に「加湿モジュール」という）は、図１に示すように、空気清浄機１０の本体の上部に脱着可能に構成され、空気清浄機の吸入口１１から吸入され、浄化されて上部から吐出される空気を加湿する無電源加湿モジュール１０００である。
【００２４】
図２及び図３に示すように、本発明の一実施形態による無電源加湿モジュール１０００は、ベースカバー１００と、シスターン部２００と、加湿フィルタ２５０と、プロテクター３００とを含む。
【００２５】
ベースカバー１００は、空気清浄機１０の上側に脱着可能に配置され、第１開口１１０及び第２開口１２０が形成され、ベースカバー１００の開放される上部を覆う覆蓋部４００が配置される。
【００２６】
第１開口１１０は、ベースカバー１００の下側に位置し、空気清浄機１０の上側に形成される空気吐出部（図示せず）に向かって開放形成されるので、空気清浄機１０の上側から吐出される空気が第１開口１１０から流入する。
【００２７】
第２開口１２０は、ベースカバー１００の一側面、すなわち第１開口１１０の側面に開放され、空気清浄機から第１開口１１０を介して流入する空気が第２開口１２０から外部に排出される。
【００２８】
シスターン部２００は、ベースカバー１００の内側に位置し、一側に水が供給される。
【００２９】
シスターン部２００は、供給される水が貯留されるように所定高さを有する隔壁２１０ａ、２１０ｂ間に空間が形成され、その形成される空間が第１開口１１０の周囲を囲むように配置される。
【００３０】
また、シスターン部２００の外側隔壁２１０bの一側には、凹状に窪んだ越流溝２１１が形成される。
【００３１】
シスターン部２００の一側には、覆蓋部４００に形成される貫通孔４１０を介して水タンク５００が備えられ、水タンク５００内に収容された水をシスターン部２００の一側に供給するようにしてもよいが、これに限定されるものではなく、その他の手段、例えば貫通孔４１０を介してシスターン部２００の一側に直結で水を供給するようにしてもよい。
【００３２】
水タンク５００からシスターン部２００の一側に水を供給する場合は、水タンク５００の注入口に設けられる注入キャップ５１０が備えられてもよい。
【００３３】
加湿フィルタ２５０は、ベースカバー１００の第２開口１２０に位置する。具体的には、加湿フィルタ２５０は、シスターン部２００の第２開口１２０側に形成される空間に加湿フィルタ２５０の下側が挿入されるように配置され、水を吸収することにより水分を保持できる素材からなる。
【００３４】
よって、シスターン部２００に供給された水に加湿フィルタ２５０の下側が浸漬され、空気清浄機１０から吐出されて第１開口１１０に流入した空気が浸漬された加湿フィルタ２５０を通過して湿度が高くなった状態で第２開口１２０から外部に排出されることにより加湿が行われる（図２参照）。
【００３５】
前述したように、水が供給される空間が隔壁２１０ａ、２１０ｂ間に形成されるシスターン部２００を、空気清浄機１０から空気が吐出される吐出部に連通する第１開口１１０の周囲を覆うように配置することにより、シスターン部２００に供給される水が空気清浄機１０の吐出部から内部に流入するのを防止することができる。
【００３６】
また、図４に示すように、シスターン部２００には区画壁２２０が備えられる。区画壁２２０は水が貯留されるシスターン部２００の空間を２つに区画するように所定高さを有して複数形成され、こうすることによりシスターン部２００の空間が一側空間２３０及び他側空間２４０に区画され、水が供給される部分と加湿フィルタ２５０はシスターン部２００の一側空間２３０に位置する。
【００３７】
また、区画壁２２０には凹状の越流溝２２１が形成される。
【００３８】
よって、シスターン部２００の一側空間２３０に供給された水により加湿フィルタ２５０が浸漬され、一側空間２３０に供給される水が区画壁２２０に位置する越流溝２２１の高さを超えると、越流溝２２１を経て区画壁２２０を越え、シスターン部２００の他側空間２４０に流入する。
【００３９】
こうすることにより、シスターン部２００に供給される水が空気清浄機１０の内部に流入するのを防止できるだけでなく、加湿フィルタ２５０が浸漬される部分の水位を一定に調節することができる。
【００４０】
プロテクター３００は、ベースカバー１００の内側において、ベースカバー１００に形成される第１開口１１０と第２開口１２０を連通させるように配置されるが、第１開口１１０の上側に位置する上部防止壁３１０により第１開口１１０の上部を覆うように配置される。
【００４１】
すなわち、上部防止壁３１０が第１開口１１０と所定間隔離隔されることにより、第１開口１１０の上部を覆うが、第１開口１１０と第２開口１２０は連通するように配置される。
【００４２】
前述したように、加湿モジュール１０００の上部からシスターン部２００に水を供給する水タンク５００を設置する場合に水タンク５００の下部に位置する開放される注入部から漏水する水や、加湿モジュール１０００の上部から直接供給される水が第１開口１１０から空気清浄機１０の内部に流入する恐れがあるが、前述したようにプロテクター３００が備えられるので、水タンク５００を結合する際や、直接水を供給する際に水が空気清浄機１０の内部に流入するのを防止することができる。
【００４３】
また、プロテクター３００は、上部防止壁３１０の外周縁から下方に延びるガイド壁３２０を含む。
【００４４】
ガイド壁３２０は、上部防止壁３１０の外周縁から、シスターン部２００に形成される前記水が供給される空間側に延びる。
【００４５】
具体的には、ガイド壁３２０は、上部防止壁３１０の外周縁から下方に延び、シスターン部２００の空間側、すなわちシスターン部２００の内側隔壁２１０ａに連続するように延びる。
【００４６】
こうすることにより、前述したように上部防止壁３１０側で漏水した水が空気清浄機１０側に流入するのをシスターン部２００と共に二重に防止できるだけでなく、漏水した水がガイド壁３２０に沿ってシスターン部２００に流入し、加湿フィルタ２５０により加湿に用いられる。
【００４７】
また、ガイド壁３２０は、上部防止壁３１０の第２開口１２０側を除く外周縁からシスターン部２００の前記空間を形成する内側隔壁２１０ａに連続するように延びる。
【００４８】
こうすることにより、第２開口１２０への空気流動を円滑にすることができ、漏水した水の一部が加湿フィルタ２５０に直接吸収されて加湿に用いられる。
【００４９】
図４及び図５に示すように、ベースカバー１００の一側には排水口１３０が形成される。
【００５０】
排水口１３０はベースカバー１００の一側下部が開放されて形成されるので、供給される水がシスターン部２００の外側隔壁２１０ｂに形成される越流溝２１１の高さを超えて流入すると、越流溝２１１の高さを超えた水が越流溝２１１を経て外側隔壁２１０ｂを越え、ベースカバー１００の内周面とシスターン部２００の外側隔壁２１０ｂ間に流動し、排水口１３０から加湿モジュール１０００の外部に排出される。
【００５１】
また、前述したように、シスターン部２００に区画壁２２０が備えられ、シスターン部２００の空間が区画される場合、シスターン部２００の一側から区画壁２２０を越えてシスターン部２００の他側空間２４０に流入した水が外側隔壁２１０ｂに形成される越流溝２１１の高さを超えると、越流溝２１１の高さを超えた水が越流溝２１１を経て外側隔壁２１０ｂを越え、ベースカバー１００側に流動して排水口１３０から排出される（図５の矢印参照）。
【００５２】
こうすることにより、シスターン部２００の水が空気清浄機１０の内部に流入するのを２段階で防止することができる。
【００５３】
また、シスターン部２００の前記空間に貯留される水の水位を検知するセンサ（図示せず）がさらに備えられ、シスターン部２００の空間内に流入した水が所定高さ以上と検知されると、センサに接続された表示部（図示せず）によりそれを表示することができる。
【００５４】
一方、排水口１３０側に開閉手段（図示せず）が備えられ、前記センサにおいて水が所定高さ以上と検知されると、前記開閉手段を開放することによりシスターン部２００の外側隔壁２１０ｂを越えてベースカバー１００側に流入する水が排水されるようにすることができる。
【００５５】
前述したように、本発明による漏水防止が可能な空気清浄機用加湿モジュールによれば、空気清浄機の内部への水溢れや水供給時の水流入を防止し、加湿に必要な水の量を一定に調節することができ、また空気清浄機への脱着が容易になるという利点が得られる。
【００５６】
以上、本発明の好ましい実施形態について説明したが、本発明は前述した特定の実施形態に限定されるものではない。すなわち、本発明の属する技術分野における通常の知識を有する者であれば、請求の範囲の思想や範疇を逸脱することなく本発明を変更又は修正することができ、それら適切な変更及び修正の均等物も本発明に含まれるものとみなされる。
【符号の説明】
【００５７】
１０  空気清浄機
１００  ベースカバー
１１０  第１開口
１２０  第２開口
２００  シスターン部
２１０ａ，２１０ｂ  隔壁
２２０  区画壁
３００  プロテクター
３１０  上部防止壁
３２０  ガイド壁
４００  覆蓋部
５００  水タンク
【図１】
0006927477.tif 000002
【図２】
0006927477.tif 000003
【図３】
0006927477.tif 000004
【図４】
0006927477.tif 000005
【図５】
0006927477.tif 000006